(57)【特許請求の範囲】
【請求項１】
自動車を載せたパレットを搬送して建物内に駐車させる駐車装置において、上記パレット上に、自動二輪車の前輪を保持して係留するための係留ホルダーを設けて自動二輪車を搭載するための自動二輪車専用パレットを、重ねて載置すると共に、上記パレットの長手方向に沿って移動自在に設け、上記自動二輪車専用パレットに、上記自動二輪車の座席部分を上方から固定するためのタイダウン装置を設けたことを特徴とするミックス型駐車装置。
【請求項２】
上記タイダウン装置は、上記自動二輪車専用パレット上に起立したポールと、そのポールに一端が取り付けられ、上記自動二輪車の座席部分に掛けられる自動巻取り・ラチェット締込式のタイダウンベルトと、そのタイダウンベルトの他端が止められて固定される止め金具とからなる請求項１記載のミックス型駐車装置。
【請求項３】
自動車を載せたパレットを搬送して建物内に駐車させる駐車装置において、上記パレット上に、自動二輪車の前輪を保持して係留するための係留ホルダーを設けて自動二輪車を搭載するための自動二輪車専用パレットを、重ねて載置すると共に、上記パレットの長手方向に沿って移動自在に設け、上記パレットと上記自動二輪車専用パレットに、上記自動二輪車専用パレットの上記長手方向の移動を規制するロック機構を設け、該ロック機構が、上記パレット又は上記自動二輪車専用パレットの一方に設けられ上方に突起する突起部と、上記パレット又は上記自動二輪車専用パレットの他方に回動可能に設けられ上記突起部に係脱可能に係止されるストッパ部材と、該ストッパ部材を上記突起部に係止する位置と上記突起部から離脱する位置とに回動させる操作部とを備えたことを特徴とするミックス型駐車装置。
【請求項４】
上記操作部が、上記パレット又は上記自動二輪車専用パレットの二輪車進入口側の端部に回動自在に設けられたロック解除ペダルと、該ロック解除ペダルに回動自在に連結されると共に上記ストッパ部材に回動自在に連結され、上記ロック解除ペダルの回動を上記ストッパ部材に伝達してストッパ部材を回動させる連結ロッドとを備えた請求項３記載のミックス型駐車装置。
【請求項５】
上記ストッパ部材が、上記パレット上に上記自動二輪車専用パレットを収容したとき上記突起部に係止される収納用ストッパ部材と、上記パレットから上記自動二輪車専用パレットを所定長さ突出させたとき自動二輪車専用パレットの戻り方向の移動を規制するように上記突起部に係止される乗降用ストッパ部材とからなり、上記連結ロッドには、上記収納用ストッパ部材が回動自在に連結されると共に、上記乗降用ストッパ部材が回動自在に連結された請求項４記載のミックス型駐車装置。
【請求項６】
上記パレットと上記自動二輪車専用パレットには、上記自動二輪車専用パレットが上記パレットから突出したときの突出長さを規制するエンドストッパが設けられた請求項３〜５のいずれかに記載のミックス型駐車装置。
【請求項７】
自動車を載せたパレットを搬送して建物内に駐車させる駐車装置において、上記パレット上に、自動二輪車の前輪を保持して係留するための係留ホルダーを設けて自動二輪車を搭載するための自動二輪車専用パレットを、重ねて載置すると共に、上記パレットの長手方向に沿って移動自在に設け、上記パレットと上記自動二輪車専用パレットに、上記自動二輪車専用パレットの上記長手方向の移動を規制するロック機構を設け、上記パレットと上記自動二輪車専用パレットには、上記自動二輪車専用パレットが上記パレットから突出したときの突出長さを規制するエンドストッパが設けられたことを特徴とするミックス型駐車装置。
【発明の詳細な説明】
【技術分野】
【０００１】
本発明は、自動車を載せたパレットを搬送して建物内に駐車させる駐車装置に関する。
【背景技術】
【０００２】
立体駐車場として使用される従来の機械式の駐車装置は、立体駐車場の入口から入庫した自動車を空の車両用パレット上に搭載し、これを昇降装置で昇降させたり（エレベータ方式）、車両用パレットを吊り下げるハンガー（ケージ）を昇降装置で垂直循環させながら昇降させたりする（垂直循環方式）ことで、建物内の上下左右に車両用パレットを格納して自動車を収容している。
【０００３】
なお、この出願の発明に関連する先行技術文献情報としては、次のものがある。
【先行技術文献】
【特許文献】
【０００４】
【特許文献１】特開昭６１−２４２２７８号公報
【発明の概要】
【発明が解決しようとする課題】
【０００５】
近年、道路交通法の改正により、特に自動車の駐車に関する規定が改正された。新しい道路交通法によると、「自動車」の定義に大型自動二輪車及び普通自動二輪車が加わることになり、路上に自動二輪車を駐車することが禁止されるようになった。このように路上に自動二輪車を駐車することができなくなったため、自動二輪車用の駐車場の需要が高まってきている。
【０００６】
しかしながら、従来、自動二輪車は平面駐車場に駐車することが多く、狭い場所や土地では多数の自動二輪車を効率よく駐車させることができなかった。
【０００７】
また、従来の機械式の駐車装置は、多数の自動車を効率よく駐車できるものの、自動二輪車を収容できなかった。
【０００８】
特に、従来の垂直循環方式の機械式駐車場では、狭いスペースを有効に利用するために、高さが低いハンガーを用いることが一般的であり、このような場合、自動二輪車を駐車することが難しかった。さらに、運転手が自動二輪車に乗ったまま駐車しようとすると、ハンガーパイプや油受けに接触してしまうおそれがあった。
【０００９】
そこで、本発明の目的は、自動車と自動二輪車を混在で収容でき、自動二輪車の駐車の利便性を図った機械式の駐車装置を提供することにある。
【課題を解決するための手段】
【００１０】
本発明は上記目的を達成するために創案されたものであり、請求項１の発明は、自動車を載せたパレットを搬送して建物内に駐車させる駐車装置において、上記パレット上に、自動二輪車の前輪を保持して係留するための係留ホルダーを設けて自動二輪車を搭載するための自動二輪車専用パレットを、重ねて載置すると共に、上記パレットの長手方向に沿って移動自在に設け、上記自動二輪車専用パレットに、上記自動二輪車の座席部分を上方から固定するためのタイダウン装置を設けたミックス型駐車装置である。
【００１５】
請求項２の発明は、上記タイダウン装置は、上記自動二輪車専用パレット上に起立したポールと、そのポールに一端が取り付けられ、上記自動二輪車の座席部分に掛けられる自動巻取り・ラチェット締込式のタイダウンベルトと、そのタイダウンベルトの他端が止められて固定される止め金具とからなる請求項１記載のミックス型駐車装置である。
【００１６】
請求項３の発明は、自動車を載せたパレットを搬送して建物内に駐車させる駐車装置において、上記パレット上に、自動二輪車の前輪を保持して係留するための係留ホルダーを設けて自動二輪車を搭載するための自動二輪車専用パレットを、重ねて載置すると共に、上記パレットの長手方向に沿って移動自在に設け、上記パレットと上記自動二輪車専用パレットに、上記自動二輪車専用パレットの上記長手方向の移動を規制するロック機構を設け、該ロック機構が、上記パレット又は上記自動二輪車専用パレットの一方に設けられ上方に突起する突起部と、上記パレット又は上記自動二輪車専用パレットの他方に回動可能に設けられ上記突起部に係脱可能に係止されるストッパ部材と、該ストッパ部材を上記突起部に係止する位置と上記突起部から離脱する位置とに回動させる操作部とを備えたミックス型駐車装置である。
【００１８】
請求項４の発明は、上記操作部が、上記パレット又は上記自動二輪車専用パレットの二輪車進入口側の端部に回動自在に設けられたロック解除ペダルと、該ロック解除ペダルに回動自在に連結されると共に上記ストッパ部材に回動自在に連結され、上記ロック解除ペダルの回動を上記ストッパ部材に伝達してストッパ部材を回動させる連結ロッドとを備えた請求項３記載のミックス型駐車装置である。
【００１９】
請求項５の発明は、上記ストッパ部材が、上記パレット上に上記自動二輪車専用パレットを収容したとき上記突起部に係止される収納用ストッパ部材と、上記パレットから上記自動二輪車専用パレットを所定長さ突出させたとき自動二輪車専用パレットの戻り方向の移動を規制するように上記突起部に係止される乗降用ストッパ部材とからなり、上記連結ロッドには、上記収納用ストッパ部材が回動自在に連結されると共に、上記乗降用ストッパ部材が回動自在に連結された請求項４記載のミックス型駐車装置である。
【００２０】
請求項６の発明は、上記パレットと上記自動二輪車専用パレットには、上記自動二輪車専用パレットが上記パレットから突出したときの突出長さを規制するエンドストッパが設けられた請求項３〜５のいずれかに記載のミックス型駐車装置である。
また、請求項７の発明は、自動車を載せたパレットを搬送して建物内に駐車させる駐車装置において、上記パレット上に、自動二輪車の前輪を保持して係留するための係留ホルダーを設けて自動二輪車を搭載するための自動二輪車専用パレットを、重ねて載置すると共に、上記パレットの長手方向に沿って移動自在に設け、上記パレットと上記自動二輪車専用パレットに、上記自動二輪車専用パレットの上記長手方向の移動を規制するロック機構を設け、上記パレットと上記自動二輪車専用パレットには、上記自動二輪車専用パレットが上記パレットから突出したときの突出長さを規制するエンドストッパが設けられたミックス型駐車装置である。
【発明の効果】
【００２１】
本発明によれば、自動二輪車を自動車と混在して駐車することが可能となり、土地の有効活用が可能となり、入出庫口が狭い場合でも自動二輪車を簡単に駐車できる。
【図面の簡単な説明】
【００２２】
【図１】図１（ａ）は、本発明の好適な実施形態であるミックス型駐車装置の主要部の平面図、図１（ｂ）はその側面図、図１（ｃ）は図１（ｂ）の１Ｃ線矢視図である。
【図２】図１（ａ）に示したミックス型駐車装置の主要部の２Ａ線矢視図（正面図）である。
【図３】図１（ａ）に示したミックス型駐車装置の主要部の３Ａ−３Ａ線断面図である。
【図４】ハンドル部部分の側面図である。
【図５】本実施形態に係る垂直循環方式のミックス型駐車装置の部分断面図である。
【図６】図６（ａ）は、図５に示した垂直循環方式のミックス型駐車装置のハンガー部分の側面図、図６（ｂ）はその６Ｂ−６Ｂ線断面図である。
【図７】他の実施の形態を示す自動二輪車専用パレットの平面図である。
【図８】自動二輪車専用パレットの側面図である。
【図９】自動二輪車専用パレットの背面図である。
【図１０】図９の要部拡大図である。
【図１１】ロック機構の側面図である。
【図１２】ロック機構の平面図である。
【図１３】ロック機構の作用を示す説明図である。
【図１４】ロック機構の作用を示す説明図である。
【発明を実施するための形態】
【００２３】
以下、本発明の好適な実施形態を添付図面にしたがって説明する。
【００２４】
まず、本実施形態に係るミックス型駐車装置の全体構成を、図５および図６（ａ）、図６（ｂ）を用いて説明する。
【００２５】
図５および図６（ａ）、図６（ｂ）に示すように、本実施形態に係るミックス型駐車装置１は、立体駐車場として使用される垂直循環方式の機械式駐車装置（タワーパーキング）であり、建物ｓ内に複数個のパレットとしての車両用パレット５２を格納し、これら車両用パレット５２に自動車ｃや自動二輪車ｍなどの車両を搭載して駐車させるものである。
【００２６】
各車両用パレット５２は、それぞれハンガー５３でその下部に吊り下げられる。ハンガー５３は、少なくとも車両用パレット５２の長手方向（自動二輪車ｍの入出庫方向）が開放形成される。
【００２７】
図６（ａ）および図６（ｂ）では、ハンガー５３が、車両用パレット５２の両端部を下方から吊り下げるハンガー枠体５３ｆ，５３ｆと、両端部がチェーン５４に連結され、ハンガー枠体５３ｆ，５３ｆの上部同士を連結するハンガーパイプ５５とからなる例を示した。ハンガーパイプ５５の両端には、チェーン５４に供給した潤滑油の余剰分を受ける油受け５６が設けられる。
【００２８】
ミックス型駐車装置１では、これら各車両用パレット５２がそれぞれ下部に設けられた複数個のハンガー５３を、チェーン５４やスプロケット、スプロケットの駆動装置を用いて建物ｓ内で垂直方向に循環させ、自動車ｃと自動二輪車ｍとを混在して収容する。
【００２９】
この垂直循環方式のミックス型駐車装置１では、自動車ｃが立体駐車場の入出庫口ｅから入庫する場合は、入庫に先立ち、空状態の車両用パレット５２を有するハンガー５３を入出庫口ｅまで下降移動させて停止する。停止した車両用パレット５２上に自動車ｃを搭載し、満状態の車両用パレット５２をハンガー５３ごと適宜上昇移動させて停止することで、建物ｓ内に自動車ｃを収容する。
【００３０】
建物ｓ内の入出庫口ｅ下部には、さらに車両用パレット５２を旋回させるターンテーブルなどの旋回装置を設けてもよい。この旋回装置を建物ｓ外の入出庫口ｅ近傍に設けてもよい。また、入出庫口ｅに開閉扉５７を設けてもよい。
【００３１】
ここで、上述した車両用パレット５２上に設けられる本実施形態に係る自動二輪車専用パレットのより詳細な構成と、その周辺部とを、図１（ａ）〜図１（ｃ）および図２を用いて説明する。
【００３２】
図１（ａ）〜図１（ｃ）および図２に示すように、本実施形態に係るミックス型駐車装置１は、２台の自動二輪車ｍ１，ｍ２を搭載するための自動二輪車専用パレット２を備える。
【００３３】
この自動二輪車専用パレット２は、車両用パレット５２上の後端部（図１（ａ）および図１（ｂ）では右側、あるいは自動二輪車の入出庫口側）に重ねて載置されると共にその長手方向に沿って移動自在に設けられるパレット本体３ａ，３ｂと、各パレット本体３ａ，３ｂの下部に設けられ、車両用パレット５２の長手方向に沿って車両用パレット５２の全長よりもやや短く形成されるはしご形のパレットフレーム（台車フレーム）４と、各パレット本体３ａ，３ｂごとに車両用パレット５２上の長手方向に沿って形成された走行軌道としての２本のガイドレール５，５とを有する。
【００３４】
パレット本体３ａとフレーム４とでスライドパレット（スライド台車）ＳＰを構成するため、本実施形態の自動二輪車専用パレット２は、２つのスライドパレットＳＰを有する。
【００３５】
パレット本体３ａ上の先端部には、自動二輪車ｍ１の前輪ｆｔのみを保持してパレット本体３ａに係留するための係留ホルダー（ホルダースタンド）６が設けられる。パレット本体３ｂ上にも同様に、自動二輪車ｍ２を係留するための係留ホルダー６が設けられる。
【００３６】
自動二輪車ｍ１，ｍ２としては、例えば、ビッグアメリカン、ビッグスクーター、オンロード、オフロード、ネイキッド、レーサーレプリカ、ツアラー、ストリート、スクーターなど、排気量が５０ｃｃの小型バイクから大型バイクまでのほぼすべてのタイプの自動二輪車を使用できる。
【００３７】
パレット本体３ａ，３ｂは、鋼板、ＳＵＳなどの金属で細長いほぼ平板状に形成される。車両用パレット５２の長さと幅は、普通自動車が１台搭載できるように設定する。本実施形態では、車両用パレット５２の長さＬを４７０〜５３０ｃｍにし、幅Ｗを２００〜２２０ｃｍにした。このパレット本体３ａ，３ｂは、少なくとも車両用パレット５２の後端部に収容された位置からパレット本体３ａ，３ｂの全体が車両用パレット５２外に出るまで移動可能である。
【００３８】
また、本実施形態では、各パレット本体３ａ，３ｂに各係留ホルダー６，６を、ボルトやナットなどの締結手段で取付け固定して設けた。これら係留ホルダー６，６により、パレット本体３ａ上に１台の自動二輪車ｍ１を係留でき、パレット本体３ｂ上に１台の自動二輪車ｍ２を係留できる。
【００３９】
係留ホルダー６は、鋼板、ＳＵＳなどの金属で形成される。この係留ホルダー６は、側面視でほぼＬ字状に曲げられた枠体７に、前輪ｆｔを受ける下受け部８と上受け部９を、スプリングで枠体７の長手方向の外側に向かって付勢させて回動可能に設けたものである。
【００４０】
係留ホルダー６に対して垂直になるように自動二輪車を進入させると、まず下受け部８に前輪ｆｔが載ってホールドされ、さらに自動二輪車を前進させると、前輪ｆｔが枠体７を乗り越え、さらに前輪ｆｔが上受け部９でホールドされると共に、前輪ｆｔ自身の重さで上受け部９に前輪ｆｔが押し付けられる。これにより、自動二輪車を前輪ｆｔのみで保持して真っ直ぐな状態で係留できる。このような係留ホルダー６としては、例えば、株式会社ワイズギア製のバイクホルダースタンドがある。
【００４１】
パレットフレーム４の両側には、ガイドレール５，５上を走行するための走行車輪１０が設けられる。本実施形態では、パレットフレーム４の先端部の両側に２輪の走行車輪１０を設け、パレット本体近傍の両側に２輪の走行車輪１０を設けた。
【００４２】
より詳細には図３に示すように、各ガイドレール５，５は、２本の横断面視でＬ形部材３５，３５を対向させてコ字状に組み合わせ、その開放側をパレットフレーム４の外側面に臨むように設置して構成される。
【００４３】
さらに、各ガイドレール５，５は、車両用パレット５２が中央部５８の両側にこれより１段低い車両用通路５９が形成されるため、片側のガイドレール５が車両用パレット５２の中央部５８上に設置され、反対側のガイドレール５が車両用パレット５２の車両用通路５９上に設置される。すなわち、両ガイドレール５，５を段違いに設置する。これら両ガイドレール５，５の設置に合わせて、走行車輪１０もパレットフレーム４の両側に段違いに設ける。
【００４４】
これにより、自動二輪車専用パレット２では、各パレット本体３ａ，３ｂとそのパレットフレーム４からなるスライドパレットＳＰが、車両用パレット５２の長手方向に沿って形成されたガイドレール５，５に係合して移動自在に支持される。
【００４５】
図１（ａ）〜図１（ｃ）および図２に戻り、パレットフレーム４の後端には、車両用パレット５２の長手方向に沿ってスライドパレットＳＰを移動させるためのハンドル部１１が設けられる。このハンドル部１１は、自動二輪車の満空時に起立し、自動二輪車の乗降時に倒れるように、パレットフレーム４の後端部に回動自在に設けられる（図４参照）。ハンドル部１１は、運転手や駐車場の管理人が握るためのハンドル１２と、自動二輪車の自動二輪車専用パレット２への乗降を案内するフラップ１３と、そのフラップ１３の先端に設けられ、ハンドル部１１の床面への衝撃を緩和する板バネ部材１４とを有する。
【００４６】
さらにハンドル部１１には、ハンドル部１１の起立状態を維持・解除するためのハンドル部ロック１５が設けられる。
【００４７】
また、パレットフレーム４の先端部には、自動二輪車専用パレット２のスライドパレットＳＰの移動を許可・禁止するためのスライドロック１６が設けられる。このため、ハンドル部１１には、スライドロック１６の施錠・解除を遠隔で行うためのスライドロック用レバーがさらに設けられているとよい。
【００４８】
一般に、自動車専用パレットには、１台の自動車の満空状態を判断するための投光器と受光器からなる光センサが備えられ、その光センサが昇降装置やピックアップ装置と共に制御手段に接続され、その制御手段により、すべての自動車専用パレットの満空状態を監視している。
【００４９】
しかし、自動二輪車専用パレット２には、満状態で２台の自動二輪車ｍ１，ｍ２が搭載されるため、光センサだけでは自動二輪車ｍ１，ｍ２の満空状態（０台、１台、２台の状態）を判断するのは難しい。
【００５０】
そこで、自動車専用パレット２上あるいは裏面には、光センサの代わりに、各係留ホルダー６の近傍にロードセルなどの荷重センサを設け、その荷重センサを上述した制御手段に接続することで、自動二輪車ｍ１，ｍ２の満空状態を判断するとよい。
【００５１】
パレット本体３ａ上には、自動二輪車ｍ１の座席部分を上方から固定するためのタイダウン装置１７が設けられる。タイダウン装置１７は、パレット本体３ａ上に起立した片側ポール１８と、その片側ポール１８に一端が取り付けられ、中間止め金具としてのベルト挿通部材１９を挿通した上で自動二輪車ｍ１の座席部分に掛けられる自動巻取り・ラチェット締込式のタイダウンベルト２０と、そのタイダウンベルト２０の他端に取り付けられたフック２１が掛けられて固定される止め金具２２とからなる。
【００５２】
このタイダウン装置１７では、予めタイダウンベルト２０がベルト挿通部材１９を挿通している。このため、係留ホルダー６に自動二輪車ｍ１を係留した後、ユーザーや駐車場の管理人が自動二輪車ｍ１の座席部分にタイダウンベルト２０を掛け、止め金具２２にフック２１を掛けた上で、タイダウンベルト２０を自動巻取りして長さを調整すれば、自動二輪車ｍ１のサイズにかかわらず、タイダウンベルト２０をｎ形に巻き掛けて自動二輪車ｍ１をより確実に固定できる。
【００５３】
ポール１８の高さＨｐは、ユーザーや駐車場の管理人による自動二輪車の固定作業を簡単にするため、自動二輪車の座席高さよりも若干高くする。本実施形態では、高さＨｐを９０〜１１０ｃｍにした。
【００５４】
次に、自動二輪車ｍ１の入庫手順を説明する。
【００５５】
まず、運転手が自動二輪車ｍ１を駐車作業に充分余裕のある位置に引かれた停止線に停車させ、自動二輪車ｍ１を降りる。運転手（あるいは駐車場の管理人）は、制御手段を有する操作盤を操作し、空状態のスライドパレットＳＰを有するハンガー５３を入出庫口ｅまで下降移動させて停止させる。
【００５６】
パレットフレーム４のスライドロック１６を解除し、運転手がハンドル部１１を持ってスライドパレットＳＰを引き出す。運転手は、スライドロック１６を施錠し、ハンドル部ロック１５を解除してハンドル部１１を倒し、フラップ１３をセットし、自動二輪車ｍ１に乗り、自動二輪車ｍ１をフラップ１３上を通って最徐行運転して係留ホルダー６に前輪ｆｔを固定する。運転手は自動二輪車ｍ１を降り、自動二輪車ｍ１の座席部分を上方からタイダウン装置１７で固定する。
【００５７】
その後、運転手はハンドル部１１を起こしてハンドル部ロック１５を施錠し、再びスライドロック１６を解除し、ハンドル部１１を持ってスライドパレットＳＰを押し入れ、車両用パレット５２上に完全に重なるまで載置させる。さらに、運転手は再びスライドロック１６を施錠し、操作盤にて完了操作を行う。
【００５８】
もう一方の自動二輪車ｍ２の入庫手順の場合は、タイダウン装置１７の作業を省略する以外、自動二輪車ｍ１の入庫手順と同じである。また、出庫手順は、入庫手順と逆の作業をすればよい。
【００５９】
本実施形態の作用を説明する。
【００６０】
ミックス型駐車装置１は、自動二輪車専用パレット２を、車両用パレット５２上に重ねて載置すると共に、車両用パレット５２の長手方向に沿って移動自在に設けている。
【００６１】
このため、ミックス型駐車装置１では、従来は自動二輪車の収容が非常に困難であった機械式の立体駐車場でも、自動二輪車ｍ１，ｍ２と自動車を混在で収容できる。
【００６２】
従来多くの場合、自動二輪車を平面に駐車するしか方法はなかったが、ミックス型駐車装置１によれば、自動二輪車を立体的に駐車することが可能となり、土地の有効活用が可能となる。しかも、ミックス型駐車装置１では、自動二輪車の盗難被害防止や、路上駐車防止も図れる。
【００６３】
特に、ミックス型駐車装置１では、図６（ａ）および図６（ｂ）のように高さが低い（約１４０〜１８０ｃｍ）ハンガー５３を用いるような垂直循環方式の機械式駐車場でも、自動二輪車専用パレット２のスライドパレットＳＰをスライド移動させることで、自動二輪車ｍ１，ｍ２を簡単に駐車できる。
【００６４】
さらに、ミックス型駐車装置１では、スライドパレットＳＰをハンガー５３の外部に引き出した位置で自動二輪車を駐車するため、運転手が自動二輪車に乗ったまま駐車でき、ハンガーパイプ５５や油受け５６に接触することがない。
【００６５】
また、ミックス型駐車装置１では、車両用パレット５２から自動二輪車専用パレット２やガイドレール５，５を比較的簡単に着脱できるため、自動車や自動二輪車の駐車台数の需要や変化に応じてハンガー５３で吊り下げるパレットの種類を適宜変更することもできる。
【００６６】
ミックス型駐車装置１は、自動二輪車専用パレット２のスライドパレットＳＰがガイドレール５，５に係合して移動自在に支持されるため、自動二輪車専用パレット２のスライドパレットＳＰをより簡単にスライド移動させることができる。
【００６７】
また、自動二輪車専用パレット２は、車両用パレット５２の長手方向に沿って移動させるためのハンドル部１１を備えているので、自動二輪車専用パレット２の引き出しや押し入れが簡単である。
【００６８】
ミックス型駐車装置１は、ハンドル部１１に、自動二輪車専用パレット２への自動二輪車の乗降を案内するフラップ１３を設けているため、立体駐車場の入出庫口ｅと自動二輪車専用パレット２間に段差があっても、自動二輪車専用パレット２への乗り降りが容易である。
【００６９】
さらに、ミックス型駐車装置１では、パレット本体３ａ，３ｂ上に、ボルトやナット、あるいは必要に応じてタッププレートなどの簡便な締結手段を用いて係留ホルダー６，６を設置している。
【００７０】
このため、ミックス型駐車装置１によれば、機械式駐車場を新設する場合に限らず、既設の機械式駐車場の車両用パレットを若干改造すればよく、各種部品の取付け作業や装置の製造が簡単であり、低コストである。
【００７１】
ミックス型駐車装置１では、タイダウン装置１７により、係留ホルダー６に係留した自動二輪車ｍ１を、自動二輪車専用パレット２上に傷つけることなく、より確実に固定できる。
【００７２】
このため、ミックス型駐車装置１によれば、パレットの引き出し・押し入れ、昇降時などの機械振動や、比較的弱い地震動などの衝撃がパレットに加わっても、自動二輪車ｍ１，ｍ２のパレット外への墜落あるいは転落、パレット内での転倒を防止でき、自動二輪車ｍ１や装置本体が壊れるのを防ぐことができる。
【００７３】
特に、パレットに強い衝撃が加わった場合には、係留ホルダー６に自動二輪車を係留するだけでは、前輪と後輪を結ぶ線に対し、自動二輪車がローリングすることがある。ミックス型駐車装置１では、タイダウン装置１７を用いることで、自動二輪車ｍ１のローリングも防止できる。
【００７４】
さらに、ミックス型駐車装置１では、自動二輪車ｍ１の座席部分をタイダウンベルト２０で上方から押さえつけて固定しており、係留ホルダー６の下受け部８や上受け部９に、前輪ｆｔがより効果的に押し付けられるため、タイダウン装置１７と係留ホルダー６の相乗効果により、自動二輪車専用パレット２上に自動二輪車ｍ１を固定できる。
【００７５】
他の実施の形態について述べる。なお、上述と同様の構成については同符号を付し、説明を省略する。
【００７６】
図７、図８及び図９に示すように、車両用パレット５２上には、自動二輪車を駐車するための自動二輪車専用パレット６１が車両用パレット５２の長手方向に移動自在に設けられ、自動二輪車専用パレット６１上には、自動二輪車の前輪を保持して係留するための係留ホルダー６が設けられ、車両用パレット５２と自動二輪車専用パレット６１には、自動二輪車専用パレット６１の長手方向の移動を規制するロック機構６２が設けられる。
【００７７】
自動二輪車専用パレット６１は、車両用パレット５２の左右の車両用通路５９上に、後述するスライドガイド６３を介してスライド自在に、かつ、車両用パレット５２の長手方向の一端に形成された車両進入口６４から出没するように設けられる。スライドガイド６３は、車両用通路５９上に固定される基部６５と、基部６５の左右両側に左右方向に延びる軸回り回転自在に設けられた複数のガイドローラ６６とからなる。自動二輪車専用パレット６１は、スライドガイド６３のガイドローラ６６に係合され、ガイドローラ６６上で車両用パレット５２の長手方向にスライドするスライダー部６７と、スライダー部６７上に設けられ自動二輪車を載置するためのパレット本体６８とを備える。スライダー部６７は、前後方向に延びると共に断面コ字状に形成されガイドローラ６６に係合される左右一対のサイドフレーム６９と、これらサイドフレーム６９間に掛け渡して設けられたクロスフレーム７０とからなり、略梯子状に形成される。パレット本体６８は、前後方向に長い鋼板の下面に補強フレーム７１を設けて構成され、スライダー部６７の一端側に設けられる。
【００７８】
また、自動二輪車専用パレット６１の一端には、二輪車進入口７２が形成されると共に自動二輪車を案内するためのフラップ装置７３が設けられている。フラップ装置７３は、スライダー部６７の端部に左右に延びる軸回り回動自在に設けられ起倒するフラップ板７４と、フラップ板７４が起立したときフラップ板７４をロックするフラップロック機構（図示せず）とを備える。フラップ板７４は、鉛直に起立したとき自動二輪車の落下を防止する柵として機能し、倒されたとき、入出庫用のスロープとして機能する。スライダー部６７の他端側には、入出庫する自動二輪車を映すための鏡スタンド７５が設けられている。
【００７９】
図１０、図１１及び図１２に示すように、ロック機構６２は、車両用パレット５２に設けられ上方に突起する突起部７６と、自動二輪車専用パレット６１に回動可能に設けられ突起部７６に係脱可能に係止されるストッパ部材７７、７８と、ストッパ部材７７、７８を突起部７６に係止する位置と突起部７６から離脱する位置とに回動させる操作部７９とを備えて構成される。
【００８０】
ストッパ部材７７、７８は、車両用パレット５２上に自動二輪車専用パレット６１を収容したとき突起部７６に係止される収納用ストッパ部材７７と、車両用パレット５２から自動二輪車専用パレット６１を所定長さ突出させたとき自動二輪車専用パレット６１の戻り方向（車両進入方向）の移動を規制するように突起部７６に係止される乗降用ストッパ部材７８とからなる。
【００８１】
図１３（ａ）に示すように、収納用ストッパ部材７７は、側面視略三角形の板状に形成されサイドフレーム６９の前端部外側の側面に左右方向に延びる第１枢支軸８０に枢支されると共に、後述する操作部７９の連結ロッド８１に左右方向に延びる軸８５回り回動自在に連結される第１リンク部８２と、第１リンク部８２に側方に延びて設けられ突起部７６に係脱可能に係止される第１係止ブロック８３とからなる。第１係止ブロック８３は、車両進入方向側の底部に第１傾斜面８４を有し、自動二輪車専用パレット６１が車両進入方向に移動するとき、第１傾斜面８４が突起部７６に当たることで第１枢支軸８０回りに回動して突起部７６を乗り越えるようになっている。
【００８２】
図１４（ｃ）に示すように、乗降用ストッパ部材７８は、側面視略三角形状の板状に形成されサイドフレーム６９の後部外側の側面に左右方向に延びる第２枢支軸８６に枢支されると共に、後述する操作部７９の連結ロッド８１に左右方向に延びる軸９０回り回動自在に連結される第２リンク部８７と、第２リンク部８７に側方に延びて設けられ突起部７６に係脱可能に係止される第２係止ブロック８８とからなる。第２枢支軸８６は第１枢支軸８０と同じ高さに配置されている。第２係止ブロック８８は、二輪車進入口７２側の底部に第２傾斜面８９を有し、自動二輪車専用パレット６１が二輪車進入口７２側に移動するとき第２傾斜面８９が突起部７６に当たることで第２枢支軸８６回りに回動して突起部７６を乗り越えるようになっている。
【００８３】
図１１及び図１２に示すように、操作部７９は、自動二輪車専用パレット６１の二輪車進入口７２側の端部に回動自在に設けられたロック解除ペダル９１と、ロック解除ペダル９１に回動自在に連結されると共に収納用ストッパ部材７７と乗降用ストッパ部材７８に回動自在に連結されロック解除ペダル９１の回動を収納用ストッパ部材７７と乗降用ストッパ部材７８に伝達して収納用ストッパ部材７７と乗降用ストッパ部材７８を回動させる連結ロッド８１とを備える。ロック解除ペダル９１は、回動中心から二輪車進入口７２側に延びる第１アーム部９２と回動中心から上方に延びる第２アーム部９３とを有する側面視略Ｌ字状に形成されており、第１アーム部９２の先端を下方に回動させることで第２アーム部９３を二輪車進入口７２側に回動させるようになっている。連結ロッド８１は、第２アーム部９３の先端に一端を連結されると共に車両進入方向に延びて配置されている。また、連結ロッド８１は、第１枢支軸８０や第２枢支軸８６より高い位置に配置されており、二輪車進入口７２の方向に移動することで収納用ストッパ部材７７を第１枢支軸８０回りに回動させると共に、乗降用ストッパ部材７８を第２枢支軸８６回りに回動させるようになっている。連結ロッド８１の他端には、連結ロッド８１を車両進入方向に弾発付勢するためのスプリング９４が連結されており、収納用ストッパ部材７７と乗降用ストッパ部材７８が常に突起部７６に当たる姿勢に保たれるようになっている。スプリング９４はコイルバネからなり、一端を連結ロッド８１に連結されると共に他端をサイドフレーム６９に連結される。
【００８４】
また、連結ロッド８１とサイドフレーム６９には、連結ロッド８１の車両進入方向への移動を規制して収納用ストッパ部材７７と乗降用ストッパ部材７８の姿勢を決めるロッドストッパ９５が設けられている。ロッドストッパ９５は、連結ロッド８１に下方に突出して設けられた係合片９６と、サイドフレーム６９に設けられ係合片９６に当接される当接部９７とからなる。当接部９７は、サイドフレーム６９の側面から側方に延びる延出部９８に二輪車進入口７２の方向に延びる調節ボルト９９を螺合してなるものである。調節ボルト９９の端部が係合片９６に当たるようになっており、調節ボルト９９を回動させることで調節ボルト９９と係合片９６が当たる位置を調節できるようになっている。
【００８５】
図７、図８及び図１１に示すように、車両用パレット５２と自動二輪車専用パレット６１には、自動二輪車専用パレット６１が車両用パレット５２から突出したときの突出長さを規制する第１エンドストッパ１００が設けられると共に、自動二輪車専用パレット６１の車両進入方向の移動を規制する第２エンドストッパ１０１が設けられている。第１エンドストッパ１００は、クロスフレーム７０に下方に延出して設けられた移動側係止部１０２と、スライドガイド６３の基部６５に上方に延出して形成された固定側係止部１０３とからなる。第２エンドストッパ１０１は、サイドフレーム６９の二輪車進入口側の端部に設けられ自動二輪車専用パレット６１が車両用パレット５２上に完全に収容されたときガイドローラ６６に当接されるローラ係止部１０４からなる。
【００８６】
次に本実施の形態の作用を述べる。
【００８７】
自動二輪車専用パレット６１上に自動二輪車を駐車する場合、図１３（ｂ）に示すように、ロック解除ペダル９１を踏んでロック解除ペダル９１の第１アーム部９２を下方に回動させる。第１アーム部９２を下方に回動させることで第２アーム部９３に連結された連結ロッド８１がスプリング９４を弾性変形させつつ二輪車進入口７２側に移動され、収納用ストッパ部材７７が第１枢支軸８０回りに回動して第１係止ブロック８３が突起部７６より上方に移動する。
【００８８】
この後、図１３（ｃ）に示すように、ロック解除ペダル９１を踏みながら自動二輪車専用パレット６１を二輪車進入口７２側に若干の長さ引く。これにより第１係止ブロック８３が突起部７６を越えて二輪車進入口７２の方向に移動され、自動二輪車専用パレット６１が二輪車進入口７２側に引き出される。この後、ロック解除ペダル９１から足を外して更に自動二輪車専用パレット６１を引く。ロック解除ペダル９１から足を外すことで連結ロッド８１はスプリング９４の弾発力によって車両進入方向に引き戻され、収納用ストッパ部材７７の第１係止ブロック８３と乗降用ストッパ部材７８の第２係止ブロック８８が突起部７６に当たる高さに戻る。
【００８９】
図１４（ａ）、（ｂ）に示すように、自動二輪車専用パレット６１が所定長さ引き出されると、乗降用ストッパ部材７８の第２傾斜面８９が突起部７６に当たって乗降用ストッパ部材７８が回動し、図１４（ｃ）に示すように、乗降用ストッパ部材７８が突起部７６を乗り越える。また、第１エンドストッパ１００の固定側係止部１０３と移動側係止部１０２が当接して自動二輪車専用パレット６１の移動が規制される。
【００９０】
この後、フラップ板７４のロックを解除し、フラップ板７４を回動させる。これによりフラップ板７４からなるスロープが形成されるので、自動二輪車をフラップ板７４上を走行させて自動二輪車専用パレット６１上に乗り入れさせる。このとき、自動二輪車専用パレット６１には、車両進入方向に向かう力が作用するが、乗降用ストッパ部材７８の第２係止ブロック８８が突起部７６に当接して自動二輪車専用パレット６１の移動を規制するため、自動二輪車専用パレット６１が動くことはない。
【００９１】
自動二輪車専用パレット６１上に自動二輪車が駐車されたら、フラップ板７４を起こしてフラップ板７４をロックし、ロック解除ペダル９１を踏む。これにより、連結ロッド８１が二輪車進入口７２側に移動し、乗降用ストッパ部材７８の第２係止ブロック８８が突起部７６より高い位置に回動して突起部７６から離脱される。この状態で自動二輪車専用パレット６１を車両進入方向に若干の長さ押すことで第２係止ブロック８８が突起部７６を越える。この後、ロック解除ペダル９１から足を外して更に自動二輪車専用パレット６１を押す。突起部７６に収納用ストッパ部材７７の第１傾斜面８４が当接することとなるが、乗降用ストッパ部材７８の第２傾斜面８９が突起部７６に当たったときと同様に収納用ストッパ部材７７が回動し、突起部７６を乗り越える。これにより、第１係止ブロック８３が突起部７６の車両進入方向に移動されて自動二輪車専用パレット６１の二輪車進入口７２側への移動がロックされ、かつ、ローラ係止部１０４がガイドローラ６６に当接することで自動二輪車専用パレット６１の車両進入方向への移動も規制され、自動二輪車専用パレット６１が車両用パレット５２上に完全に格納される。
【００９２】
このように、車両用パレット５２と自動二輪車専用パレット６１に、自動二輪車専用パレット６１の長手方向の移動を規制するロック機構６２を設けたため、ミックス型駐車装置の安全性を高めることができると共に、自動二輪車専用パレット６１の操作性を高めることができ、ミックス型駐車装置の故障を減少できる。
【００９３】
ロック機構６２が、車両用パレット５２に設けられ上方に突起する突起部７６と、自動二輪車専用パレット６１に回動可能に設けられ突起部７６に係脱可能に係止されるストッパ部材７７、７８と、ストッパ部材７７、７８を突起部７６に係止する位置と突起部７６から離脱する位置とに回動させる操作部７９とを備えるものとしたため、簡易な構造で容易に自動二輪車専用パレット６１の長手方向の移動を規制できる。
【００９４】
操作部７９が、自動二輪車専用パレット６１の二輪車進入口７２側の端部に回動自在に設けられたロック解除ペダル９１と、ロック解除ペダル９１に回動自在に連結されると共にストッパ部材７７、７８に回動自在に連結され、ロック解除ペダル９１の回動をストッパ部材７７、７８に伝達してストッパ部材７７、７８を回動させる連結ロッド８１とを備えるものとしたため、ロック機構６２を簡易な構造にできると共に、ロック機構６２によるロック又はロック解除の操作を容易にできる。
【００９５】
ストッパ部材７７、７８が、車両用パレット５２上に自動二輪車専用パレット６１を収容したとき突起部７６に係止される収納用ストッパ部材７７と、車両用パレット５２から自動二輪車専用パレット６１を所定長さ突出させたとき自動二輪車専用パレット６１の戻り方向の移動を規制するように突起部７６に係止される乗降用ストッパ部材７８とからなり、連結ロッド８１には、収納用ストッパ部材７７が回動自在に連結されると共に、乗降用ストッパ部材７８が回動自在に連結されるものとしたため、車両用パレット５２上に収容した自動二輪車専用パレット６１の意図しない車両進入口６４側への移動をロックできると共に自動二輪車専用パレット６１上に自動二輪車が乗り込むときの自動二輪車専用パレット６１の移動をロックできる。また、これらのロックを簡易な構造でなし得る。
【００９６】
車両用パレット５２と自動二輪車専用パレット６１には、自動二輪車専用パレット６１が車両用パレット５２から突出したときの突出長さを規制する第１エンドストッパ１００が設けられるものとしたため、車両用パレット５２から自動二輪車専用パレット６１が脱落するのを防ぐことができる。
【００９７】
なお、上述の実施の形態では、ミックス型駐車装置が、垂直循環方式の機械式駐車装置（タワーパーキング）である場合について説明したが、これに限るものではない。ミックス型駐車装置は、自動車を載せたパレットを搬送して建物内に駐車させるものであれば他のタイプのものであってもよい。例えば、ミックス型駐車装置は、地上の建物内に、車両用パレットを載置するための棚を多段に設けると共に各棚に沿って昇降するエレベータを設け、このエレベータで各棚に車両用パレットを受け渡すようにしたエレベータパーキングであってもよく、地下の建物内で車両用パレットを循環又は移動させて格納する地下式パーキングであってもよく、建物内に上下左右に移動自在なシャトルを設け、このシャトルで車両用パレットを搬送するシャトルパーキングであってもよく、地下空間に上下に延びるフレームを昇降自在に設け、このフレームに２段以上の複数段のパレットを設けた昇降式の二・多段パーキングであってもよく、地上階に複数のパレットを横行自在に設けると共に、パレット１つ分の空きスペースを形成し、二階、又は地下階に上記空きスペースに昇降可能なパレットを設けたスライド・昇降併用式の二・多段パーキングであってもよい。
【００９８】
また、突起部７６が車両用パレット５２に設けられ、ストッパ部材７７、７８が自動二輪車専用パレット６１に設けられるものについて説明したが、突起部７６が自動二輪車専用パレット６１に設けられ、ストッパ部材７７、７８が車両用パレット５２に設けられるものとしてもよい。この場合、操作部７９は、車両用パレット５２の二輪車進入口側の端部に回動自在に設けられたロック解除ペダル９１と、ロック解除ペダル９１に回動自在に連結されると共にストッパ部材７７、７８に回動自在に連結され、ロック解除ペダル９１の回動をストッパ部材７７、７８に伝達してストッパ部材７７、７８を回動させる連結ロッド８１とを備えるとよい。
【符号の説明】
【００９９】
１  ミックス型駐車装置
２，６１  自動二輪車専用パレット
３ａ，３ｂ，６８  パレット本体
６  係留ホルダー
５２  車両用パレット
ＳＰ  スライドパレット
【図１】
0005415112.tif 000002
【図２】
0005415112.tif 000003
【図３】
0005415112.tif 000004
【図４】
0005415112.tif 000005
【図５】
0005415112.tif 000006
【図６】
0005415112.tif 000007
【図７】
0005415112.tif 000008
【図８】
0005415112.tif 000009
【図９】
0005415112.tif 000010
【図１０】
0005415112.tif 000011
【図１１】
0005415112.tif 000012
【図１２】
0005415112.tif 000013
【図１３】
0005415112.tif 000014
【図１４】
0005415112.tif 000015